(57)【要約】【課題】見栄の良い、高級感のある外観を創出することができ、しかも、優れた吸音性能を有し、特に、オフィスビルのホール、コンサートホール、公共施設、学校、病院、図書館等の静粛性が要求される建物の天井や壁面に用いるのに好適で、しかも、十分な不燃・難燃性を有する不燃吸音材を提供することを課題とする。【解決手段】樹脂製化粧フィルム２と薄手のメタルプレート３とが積層され、化粧フィルム２とメタルプレート３に、互いに連通するピンホール４、５が全面に亘って透設されて成る基板１のメタルプレート３の裏面に、ガラスクロス６が張設されて成る。ピンホール４、５の孔径は、０．５〜１ｍｍであり、メタルプレート３は、０．６±０．２ｍｍの厚さのアルミニウム合金板である。【選択図】図１
2018084054.tif 000002
【特許請求の範囲】
【請求項１】
樹脂製化粧フィルムと薄手のメタルプレートとが積層され、前記化粧フィルムと前記メタルプレートに、互いに連通するピンホールが全面に亘って透設されて成る基板の前記メタルプレートの裏面に、ガラスクロスが張設されて成ることを特徴とする不燃吸音材。
【請求項２】
前記ピンホールの孔径は、０．５〜１ｍｍである、請求項１に記載の不燃吸音材。
【請求項３】
前記メタルプレートは、０．６±０．２ｍｍの厚さのアルミニウム合金板である、請求項１又は２に記載の不燃吸音材。
【請求項４】
前記ガラスクロスに断熱・吸音材が定着される、請求項１乃至３のいずれかに記載の不燃吸音材。
【発明の詳細な説明】
【技術分野】
【０００１】
本発明は不燃吸音材に関するものであり、より詳細には、コンサートホール、公共施設、学校、病院、図書館、会社の会議室、一般住宅等の天井や壁面に用いるのに好適な、見栄えがよくて吸音性能に優れ、しかも、不燃・難燃性を有する不燃吸音材に関するものである。
【背景技術】
【０００２】
従来、オフィスビルのホール、コンサートホール、公共施設、学校、病院、図書館等の天井には、留め付けビスが隠れるように成形された金属化粧板であるスパンドレルや、システム天井が多く用いられている。一般にシステム天井には、格子に組んだスチール製Ｔバー上に、正方形に形成したロックウール製等のボードを載置するタイプと、同一方向にライン状に組んだスチール製Ｔバー上に、長尺に形成したロックウール製等のボードを載置するタイプとがある。
【０００３】
上記従来の天井材のうち、スパンドレルは比較的見栄え良く、高級感を醸し出すことが可能であるが、吸音性についての配慮に欠けるため、特に静粛が要求される上記建物の天井材としては適さない。一方、システム天井の場合は、ある程度の吸音性能があるものの、決して十分なものではなく、また、デザインが単調なものとなるため、見栄の良い、高級感のある外観を創出することは困難である。これらの問題に加え、従来のこの種吸音建材は、不燃・難燃性を具備していないという問題がある。
【先行技術文献】
【特許文献】
【０００４】
【特許文献１】特開２００１−１３２１３２号公報
【特許文献２】特開２００１−６５０７７号公報
【特許文献３】実開昭５４−９８０１４号公報
【発明の概要】
【発明が解決しようとする課題】
【０００５】
上述したように、従来の天井材のうち、スパンドレルの場合は吸音性に欠けるため、特に静粛が要求される建物の天井材には適さないという欠点があり、システム天井の場合は、吸音性能が不十分で、デザインが単調なため、見栄の良い、高級感のある外観を創出することが困難という問題があることに加え、不燃・難燃性を具備していないという問題があった。また、壁面材についても同様の問題がある。
【０００６】
そこで本発明は、見栄の良い、高級感のある外観を創出することができ、しかも、優れた吸音性能を有し、特に、オフィスビルのホール、コンサートホール、公共施設、学校、病院、図書館等の静粛性が要求される建物の天井や壁面に用いるのに好適で、しかも、十分な不燃・難燃性を有する不燃吸音材を提供することを課題とする。
【課題を解決するための手段】
【０００７】
上記課題を解決するための請求項１に記載の発明は、樹脂製化粧フィルムと薄手のメタルプレートとが積層され、前記化粧フィルムと前記メタルプレートに、互いに連通するピンホールが全面に亘って透設されて成る基板の前記メタルプレートの裏面に、ガラスクロスが張設されて成ることを特徴とする不燃吸音材である。
【０００８】
一実施形態においては、前記ピンホールの孔径は、０．５〜１ｍｍであり、  前記メタルプレートは、０．６±０．２ｍｍの厚さのアルミニウム合金板である。また、一実施形態においては、更にガラスクロスに断熱・吸音材が定着される。
【発明の効果】
【０００９】
上述したように本発明に係る不燃吸音材は、樹脂製化粧フィルムと薄手のメタルプレートとが積層され、化粧フィルムとメタルプレートに、互いに連通するピンホールが全面に亘って透設されて成る基板のメタルプレートの裏面に、ガラスクロスが張設されて成るものであるので、室内の騒音、雑音は無数のピンホールから吸収されて消音され、また、メタルプレート並びにその裏面に張設されるガラスクロスによって不燃・難燃性を具備し、更にピンホールがガラスクロスによって閉塞されるために、不燃・難燃性能が向上する効果がある。
【００１０】
また、化粧フィルムからメタルプレートにかけて穿設されるピンホールは、孔径が０．５〜１ｍｍの微小孔であるため、天井や壁面に配置された場合には視認困難な状態となるので、ピンホールの存在によって見た目が損なわれることはなく、特にコンサートホール、公共施設、学校、病院、図書館、会社の会議室その他、消音が必要な室内の天井材や壁面材として好適なものとなる。請求項４に係る発明の場合は、一層吸音性能が高まる効果がある。
【図面の簡単な説明】
【００１１】
【図１】本発明に係る不燃吸音材の一実施形態の部分切截斜視図である。
【図２】本発明に係る不燃吸音材の一実施形態の拡大縦断面図である。
【発明を実施するための形態】
【００１２】
以下に、本発明を実施するための形態につき、添付図面に依拠して説明する。本発明に係る不燃吸音材は、樹脂製化粧フィルム２と薄手のメタルプレート３とを積層し、化粧フィルム２とメタルプレート３に、互いに連通するピンホール４、５を全面に亘って透設して成る基板１のメタルプレート３の裏面に、ガラスクロス６を張設して形成されるものである。
【００１３】
表層となる、換言すれば、人目に晒されることになる化粧フィルム２は、木目模様その他任意の模様や色柄表現等の印刷が可能なものである。この化粧フィルム２としては、例えば、グラビア印刷可能な、厚さ０．１７ｍｍ以下の塩化ビニル樹脂系フィルムが用いられる。
【００１４】
この化粧フィルム２が、アクリル樹脂系粘着剤等の粘着層を介してメタルプレート３に合着される。メタルプレート３としては、例えば、厚さ０．６ｍｍ前後、即ち、０．６±０．２ｍｍの薄手のアルミニウム合金板が用いられる。
【００１５】
化粧フィルム２とメタルプレート３には、互いに連通し合うピンホール４、５がその全面に亘って透設される。各ピンホール４、５は、化粧フィルム２とメタルプレート３の合着前にそれぞれに透設しておき、ピンホール４とピンホール５を合わせて合着することとしてもよいが、合着後に化粧フィルム２からメタルプレート３にかけて穿孔する方法の方が効率的で、きれいに仕上がる。
【００１６】
ピンホール４、５は、目立たないサイズ、即ち、０．５〜１ｍｍ程度の微小孔であって、定間隔（例えば、４ｍｍ）置きに又はランダムに穿設される。孔径がこのレベルであると、天井面や壁面に配設された場合、その表面に施される模様や色柄表現等に関係なく、ほとんど視認することができないものとなり、ピンホール４、５の存在によって見た目が損なわれるおそれはない。
【００１７】
メタルプレート３の裏面に、ガラスクロス６が定着される。ガラスクロス６は、ガラスヤーンを用いて製造した織物で、平織り、あや織り、その他の織り方のものがあり、また、種々の織り密度のものがあり、更に、用途に応じてヒートクリーニング処理されるものや表面処理されるものがある。本発明において用いられるガラスクロス６は、特にその種類を問わない。
【００１８】
本発明に係る不燃吸音材を天井材として用いる場合は、既知の種々の天井材形状に成形することができる。例えば、システム天井用として箱状に成形したり、スパンドレル形状に成形したりすることができる。
【００１９】
一実施形態においては、ガラスクロス６に断熱・吸音材７が定着される。通例、断熱・吸音材７はグラスウール（ロックウール）、発泡樹脂等の厚みが２５ｍｍ程度のものとされる。このようにガラスクロス６に断熱・吸音材７が定着される場合は、吸音効果が一層助長される。
【００２０】
以上いずれの実施形態の場合においても、人目に晒される表層を構成する化粧フィルム２は、木目その他任意の模様や色柄等を表現し、場合によっては天井画を表現することも可能であり、予め種々のものを用意しておいて用途に合わせて選択することができるだけでなく、その都度所望の模様や色柄に印刷して用いることも可能であるため、多品種小ロット施工に適するものとなる。
【００２１】
また、化粧フィルム２からメタルプレート３にかけて穿設されるピンホール４、５は、上述したように孔径が０．５〜１ｍｍ程度の微小孔であって、近距離においても熟視しないと視認できず、ましてや、かなり上方に位置することになる天井に配置された場合には視認困難な状態となる。従って、ピンホール４、５の存在によって見た目が損なわれることは皆無となる。更に、ピンホール４、５は、微小孔であるために埃が溜まりにくく、衛生的なものとなる。
【００２２】
そして、この化粧フィルム２はメタルプレート３に張着されるため、十分な表面強度が得られ、且つ、十分な保形力が確保される。また、室内の騒音、雑音は無数のピンホール４、５から吸収されてガラスクロス６を抜け、ガラスクロス６に断熱・吸音材７が定着される場合は断熱・吸音材７に取り込まれて消音される。そして更に、メタルプレート３並びにその裏面に張設されるガラスクロス６によって不燃・難燃性を具備する。また、化粧フィルム２とメタルプレート３のピンホール４、５はガラスクロス６によって閉塞されるため、不燃材としての認定取得が可能なものとなる。
【符号の説明】
【００２３】
１      基板
２      化粧フィルム
３      メタルプレート
４、５      ピンホール
６      ガラスクロス
７      断熱・吸音材
【図１】
2018084054.tif 000003
【図２】
2018084054.tif 000004